(57)【要約】【課題】遊技球が自重によって落下する遊技盤上において、重力方向に対して横並びに配置しても、それぞれがほぼ同一の球筋で遊技球を入賞させる。【解決手段】入賞口１０４、１０６に羽根部材１１２、１１４を設け、一方の羽根部材１１２（又は１１４）が閉止位置、他方の羽根部材１１４（又は１１２）が開放位置となった場合、当該一方の羽根部材１１２（又は１１４）のガイド部１１２Ａ（又は１１４Ａ）が開放中の他方の入賞口１０６（又は１０４）への案内路となる構成としたため、ほぼ同一の球筋で両方の入賞口１０４、１０６への入賞が可能となる。このため、遊技盤３２に重力方向（上下方向）に段差をつけて入賞口１０４、１０６を設ける必要がなくなり、限られたスペースに横並びで入賞口１０４、１０６が設けられた電動役物装置１００を配置することができる。【選択図】　　　　図４
2004141220.tif 000002
【特許請求の範囲】
【請求項１】
遊技盤上に設けられ、自重により落下する遊技球が入賞することで遊技の進行に変化をもたらす入賞口と、当該入賞口を駆動手段の駆動力で開閉することで、当該入賞口への遊技球の入賞の可否を選択する入賞可否選択部材と、で構成された遊技機用電動役物装置であって、
前記入賞口が、重力方向に対してほぼ同一高さの横並びで複数設けられ、
それぞれの入賞口には、それぞれ独立して前記入賞可否選択部材が設けられ、前記入賞が不可能な状態となっている入賞可否選択部材が、前記入賞が可能な状態となっている入賞口への案内機能を持つことを特徴とする遊技機用電動役物装置。
【発明の詳細な説明】
【０００１】
【発明の属する技術分野】
本発明は、遊技盤上に設けられ、自重により落下する遊技球が入賞することで遊技の進行に変化をもたらす入賞口と、当該入賞口を駆動手段の駆動力で開閉することで、当該入賞口への遊技球の入賞の可否を選択する入賞可否選択部材と、で構成された遊技機用電動役物装置に関するものである。
【０００２】
【従来の技術】
従来より、遊技機、特にパチンコ機において、その遊技盤面上には、遊技盤面上方から落下してくるパチンコ球が当接するとでパチンコ球の落下軌道を変更する釘や、当接位置によって自身の回転によって左右に振り分ける風車等が設けられている。
【０００３】
また、上記遊技盤上には、上記釘や風車によって、変則的な落下軌道で落下してくるパチンコ球が、所定の確率で入賞する入賞口が設けられた入賞装置が、適宜設けられている。
【０００４】
この入賞装置にパチンコ球が入賞すると、遊技の進行に変化がもたらされる。例えば、１回の入賞に対して所定数のパチンコ球の賞球払出し、入賞を契機に抽選が実行され、この抽選の結果が当りの場合の電動チューリップのを開放、或いはセンター役物内へのパチンコ球の入賞を許可する可動部材の開放等がある。
【０００５】
いずにしても、入賞口への入賞は基本的には遊技者に有利な遊技状態に移行する契機となり得る。
【０００６】
このような入賞装置は、自身が役物として機能するべく、電動チューリップや羽根等の開閉部材を具備し、入賞口へのパチンコ球の入賞の可否を選択するものがある（一例として、特許文献１参照）。以下、このような開閉部材を持つ入賞装置を電動役物装置という。
【０００７】
【特許文献１】
特開２００１−２１２２９７公報
【０００８】
【発明が解決しようとする課題】
ここで、電動役物装置を遊技盤面上に複数設ける場合、基本的には単独の電動役物装置を設置するのが一般的である。
【０００９】
しかし、それぞれ独立した電動役物装置の場合、個々に組付作業が必要であり、設置数分の工数がかかる。このため、複数の電動役物装置を一体のベースに備えた構造が考えられる。これによれば、ベースを遊技盤に組付けることで複数の電動役物装置の設置が完了するため、工数を減らすことができる。
【００１０】
しかしながら、複数の電動役物装置に対して、ほぼ同一の球筋で分け隔てなく平均的に入賞の確率を持たせるには、パチンコ球の落下方向（重力方向）に対して段差（高低差）を持たせる必要がある。言い換えれば、横並びの電動役物装置間では、同一の球筋で入賞可能とするのは構造的に困難である。
【００１１】
一方、遊技者からすれば、同一の球筋を狙って発射することで、入賞の確率を上げたいため、結果として何れかの電動役物装置しか狙わず、複数の電動役物装置を設けた意味が薄れることになる。
【００１２】
また、上下方向に電動役物装置を配列する場合、遊技盤面上のスペースが限られているため、取り付け可能なスペースに制限がある。
【００１３】
本発明は上記事実を考慮し、遊技球が自重によって落下する遊技盤上において、重力方向に対して横並びに配置しても、それぞれがほぼ同一の球筋で遊技球を入賞させることができる遊技機用電動役物装置を得ることが目的である。
【００１４】
【課題を解決するための手段】
請求項１に記載の発明は、遊技盤上に設けられ、自重により落下する遊技球が入賞することで遊技の進行に変化をもたらす入賞口と、当該入賞口を駆動手段の駆動力で開閉することで、当該入賞口への遊技球の入賞の可否を選択する入賞可否選択部材と、で構成された遊技機用電動役物装置であって、前記入賞口が、重力方向に対してほぼ同一高さの横並びで複数設けられ、それぞれの入賞口には、それぞれ独立して前記入賞可否選択部材が設けられ、前記入賞が不可能な状態となっている入賞可否選択部材が、前記入賞が可能な状態となっている入賞口への案内機能を持つことを特徴としている。
【００１５】
請求項１記載の発明によれば、複数の入賞口が重力方向に対してほぼ同一高さの横並びで配置されている。このままだと、同一の球筋で当該複数の入賞口に入賞させる確率をほぼ同一とするのは困難である。そこで、入賞が不可能な状態となっている入賞可否選択部材が、前記入賞が可能な状態となっている入賞口への案内機能を持たせることで、ほぼ同一の球筋で、入賞が可能な状態となっている入賞口へ遊技球を案内することができる。
【００１６】
これにより、遊技盤面の限られたスペースで、複数の入賞口を同一の球筋で入賞させることができる状態で設置することができる。
【００１７】
【発明の実施の形態】
図１には、本発明の一実施の形態に係るパチンコ機１０が示されている。パチンコ機１０は外枠１２を備え、外枠１２の前面には、窓部を有する額縁状の内枠１４の一側部（図１の左辺部）が開閉可能に取付けられている。
【００１８】
内枠１４には、複数の表示等６２、６３やスピーカ６４、６６が設けられている。また、内枠１４の中央には、窓部となっており、この窓部には紙面奥行き方向に所定の間隔で互いに平行とされた一対のガラス１６（二重構造）が装着されたガラス枠２０が設けられている。また、内枠１４の図１の右辺部には施錠装置（シリンダ）２２が設けられている。
【００１９】
ガラス枠２０の下方位置には、球皿部２４を備えた一体皿２６が配設されている。この一体皿の球皿部２４には、貯球タンク（図示省略）と連通し、この貯球タンク内のパチンコ球を球皿部２４へ流出させる連通口２３が設けられている。
【００２０】
一体皿２６は、その一側部（図１の左辺部）が内枠１４に対して開閉可能に取付けられている。一体皿２６の前面には、左側下部に灰皿２８が配置され、右側下部には発射装置１６４（図３参照）から発射する打球の飛距離を調整するための発射ハンドル３０が設けられている。
【００２１】
また内枠１４の窓部には、遊技盤載置台に載せて交換可能とされた遊技盤３２が窓部に対応して設置されている。
【００２２】
図２に示される如く、遊技盤３２は、外バンド３６及び内バンド３８によって囲まれた略円形状の遊技領域４０が形成されている。
【００２３】
遊技領域４０には、図示しない釘や風車の他、センター役物４２、当該センター役物４２に設けられた特別図柄表示装置４３、並びに大入賞口（変動入賞装置）４４等の役物、始動口４６等の遊技部品が取り付けられており、最下位置にアウト口５４が配置されている。
【００２４】
また、本実施の形態では、始動口４６と大入賞口４４との間のスペースに電動役物装置１００が配設されている。この電動役物装置１００には、一対の入賞口１０４、１０６が設けられている（詳細後述）。
【００２５】
図３には、パチンコ機１０を制御するための制御系の概略が示されている。制御系は、主制御基板１５０を中心として、払出制御基板１５２、音声制御基板１５４、ランプ制御基板１５６、発射制御基板１５８、図柄表示制御基板１６０等、機能毎に分類されている（なお、以下これらを総称する場合、副制御基板１５１という）。
【００２６】
なお、主制御基板１５０並びに副制御基板１５１は、管理制御基板２０６を介してパチンコ店側のホールコンピュータ２０８に接続することにより、パチンコ機の稼動状況を管理することも可能となっている。
【００２７】
主制御基板１５０には、遊技に関する基本的なプログラムが記憶されており、この主制御基板１５０からの命令信号に基づいて、その他の副制御基板１５１が独自に実行する。
【００２８】
払出制御基板１５２は、払出賞球装置１６２を制御して、球貸し時の払出し、入賞時の賞球に応じてパチンコ球を払い出すものであり、音声制御基板１５４は、パチンコ機１１０に設けられたスピーカ６４、６６からの効果音等の出力を制御する。また、ランプ制御基板１５６は、パチンコ機１０に取り付けられた複数の表示灯６２、６３の点灯・消灯を制御し、発射制御基板１５８は、発射装置１６４を制御して、遊技者によるハンドル３０の操作に応じてパチンコ球を打ち出す。
【００２９】
図柄表示制御基板１６０は、前記特別図柄表示装置４３と接続されており、主制御基板１５０からの命令信号に基づいて、所定の演出効果をもたらす表示を実行する。
【００３０】
前記主制御基板１５０には、始動口４６に設けられた始動入賞センサ１６８、電動役物装置１００に具備されている一対の入賞口１０４、１０６に設けられた入賞センサ１７１、１７２並びに大入賞口４４に入賞したパチンコ球を検出する大入賞口センサ１７３が接続されている。なお、大入賞口４４には、大入賞口の開閉動作を継続するためのＶゾーンが設けられており、このＶゾーンにもＶゾーンセンサ１７７が設けられており、主制御基板１５０に接続されている。
【００３１】
また、この主制御基板１５０には、始動口４６に設けられた電動チューリップ４７を開閉させるためのソレノイド１７４、大入賞口４４を開閉させるためのソレノイド１７５が接続されている。
【００３２】
また、主制御基板１５０では、特別図柄や普通図柄の当／外抽選がなされ、この抽選結果に基づく特別図柄表示装置４３での表示内容を選択し、図柄表示制御基板１６０へ命令信号を出力する。すなわち、図柄表示制御基板１６０には、複数種の命令信号に基づく異なる表示内容のデータが予め記憶されており、命令信号に基づいてデータが選択されて、起動するようになっている。
【００３３】
なお、図示は省略したが、遊技盤３２に設けられる普通図柄表示装置や保留ランプ等も主制御基板１５０によって制御されるようになっている。
【００３４】
ここで、図４乃至図６に従い、上記始動口４６と大入賞口４４との間に設けられた電動役物装置１００について説明する。
【００３５】
この電動役物装置１００は、横長のベース１０２を備えており、前記始動口４６と大入賞口４４との間の縦方向（重力方向）が狭く、横方向（水平方向）が広いスペースに取り付けられている。
【００３６】
すなわち、ベース１０２は、幅方向（横方向）の中央部から、左右に鳥が羽根を広げたかの如く、横長形状とされ、中央部１０２Ａには、一対の入賞口１０４、１０６が横並びで配設されている。入賞口１０４、１０６はアーチ型とされ、底辺部に沿って受け部１０８が突出している。また、この受け部１０８からは、一対の入賞口１０４、１０６を仕切る仕切り壁１０８Ａが一体形成されている。
【００３７】
この受け部１０８により、電動役物装置１００の上方から落下してくるパチンコ球を受け取り、入賞口１０４、１０６へと案内するようになっている。
【００３８】
一対の入賞口１０４、１０６のそれぞれの外側の辺と底辺部との間の角部には、図示しない駆動手段の駆動力で回転する回転軸１１０が前記ベース１０２面から突出されている。
【００３９】
この回転軸１１０は、それぞれ左右対称形状の羽根部材１１２、１１４一端部に嵌入されており、回転軸１１０と羽根部材１１２、１１４とは一体回転する構成となっている。
【００４０】
羽根部材１１２、１１４は、回転軸１１０への取り付け状態で、逆Ｌ字形とされ、一端部（回転軸１１０の取り付け側端部）から上方へ延設され、それぞれ対応する入賞口１０４、１０６の上方に回り込むように略９０°屈曲している。この屈曲先端は、互いに接近対向しており、その隙間は僅かとなっている。
【００４１】
また、この状態での羽根部材１１２、１１４の位置では、入賞口１０４、１０６への入賞経路を閉ざし、パチンコ球の入賞を拒否する位置（閉止位置）となっている。
【００４２】
ここで、図４に向かって左側の回転軸１１０は、上記閉止位置から反時計回り方向に略９０°の範囲、並びに図４に向かって右側の回転軸１１０は、上記閉止位置から時計回り方向に略９０°範囲で、それぞれ独立して回転可能とされている。
【００４３】
このため、図４に向かって左側の羽根部材１１２が前記閉止状態から回転軸１１０を中心に反時計回り方向に略９０°回転すると、入賞口１０４への入賞経路が開放され、パチンコ球の入賞層を許可する位置（開放位置）とすることができる（図７参照）。
【００４４】
また、図４に向かって右側の羽根部材１１４は、同様に前記閉止状態から回転軸１１０を中心に時計回り方向に略９０°回転すると、入賞口１０６への入賞経路が開放され、パチンコ球の入賞層を許可する位置（開放位置）とすることができる。
【００４５】
上記羽根部材１１２、１１４は、閉止状態での上面がパチンコ球のガイド部１１２Ａ、１１４Ａとして機能する。一方の入賞口１０４の上部に位置するガイド部１１２Ａは、相手側の他方の入賞口１０６へ転動するスロープとされ、他方の入賞口１０６の上部に位置するガイド部１１４Ａは、相手側の一方の入賞口１０４へ転動するスロープとされている。
【００４６】
従って、例えば、一方の入賞口１０４が開放（羽根部材１１２が開放位置）されており、他方の羽根部材１１４が閉止位置である場合には、ある所定の球筋でパチンコ球が電動役物装置１００に到達すると、パチンコ球はこの一方の入賞口１０４に入賞する。
【００４７】
また、他方の入賞口１０６が開放（羽根部材１１４が開放位置）されており、一方の羽根部材１１２が閉止位置である場合には、前記所定の球筋と同一の球筋でパチンコ球が電動役物装置１００に到達すると、パチンコ球はこの他方の入賞口１０６に入賞する。すなわち、同一の球筋で一対の入賞口１０４、１０６のいずれにもほぼ同一の確率で入賞することが可能となっている。
【００４８】
また、両方の羽根部材１１２、１１４が閉止位置の場合には、一対のガイド部１１２Ａ、１１４Ａの面が逆山型を形成することになり、互いの境界部にパチンコ球を集めることができるようになっている。
【００４９】
このガイド部１１２Ａ、１１４Ａのスロープは、ベース１０２側に向けても低位となっており、前記境界部に集められたパチンコ球はベース１０２方向にも転動するようになっている。
【００５０】
この転動先のベース１０２には、貫通孔１１６が設けられており、一対の羽根部材１１２、１１４が両方共に閉止位置の場合に、ガイド部１１２Ａ、１１４Ａに到達したパチンコ球はこの貫通孔１１６を通過してベース１０２の裏面側へ案内されるようになっている。
【００５１】
ベース１０２の裏面側には、貫通孔１１６を貫通したパチンコ球を図４の左右方向へ案内するように傾斜した案内路１１８が形成されている。
【００５２】
案内路１１８の案内方向先端部に対応してベース１０２には、排出口１２０が設けられている。これにより、案内路１１８を転動したパチンコ球は排出口１２０から排出され、再び遊技盤３２面上に放出されるようになっている。
【００５３】
本実施の形態では、上記電動役物１００に対して、前述した始動口への入賞を契機とする抽選の結果、大当たりとなると大入賞口４４を開放する遊技とは別に、前記抽選の結果に小当たりを設定した遊技を併用しており、これを羽根部材１１２、１１４の開閉制御で行っている。
【００５４】
すなわち、抽選の結果が小当たりとなると、図４に向かって左側の羽根部材１１２を１秒開放、７秒閉止を数回（４回程度）繰り返すように制御し、１秒間の開放時に入賞口１０４にパチンコ球が入賞すると、図４に向かって右側の羽根部材１１４を６秒間開放する。この左右の羽根部材１１２、１１４は同期がとられており、左側の羽根部材１１２の７秒閉止のときに、右側の羽根部材１１４の６秒間開放が実行される。この結果、ほとんどの期間で何れか一方の入賞口１０４、１０６が入賞許可状態となり、遊技者に有利な遊技状態となる。
【００５５】
以下に本実施の形態の作用を説明する。
【００５６】
遊技者がハンドル３０を把持し、発射のための操作を行なうと、このハンドル操作量（回転量）に応じた強度で、パチンコ球が打ち出される。
【００５７】
パチンコ球が打ち出されると、外バンド３６及び内バンド３８に案内されて遊技盤３２に設けられた釘や風車等に当接しながら、予測し得ない移動をしながら落下していく。ここで、始動口４６にパチンコ球が入賞すると、乱数カウンタを用いて所定の確率下で大当り抽選が開始される。この大当り抽選の結果、当り／外れが決定すると、それぞれにおいて、予め準備された図柄変動パターン（図柄変動パターン）を選択（乱数カウンタで選択してもよい）し、特別図柄表示装置４３に図柄変動パターンを表示する。この図柄変動パターンにおいては、リーチを経由した当り、外れリーチ、リーチを経由しない外れ等、様々な演出があり、遊技者は期待感をもって抽選結果を待つことができる。
【００５８】
すなわち、当り時の図柄変動制御が終了すると、予め設定したラウンド数（例えば、１５ラウンド）の大当たり処理が実行される。この大当たり処理中は、大入賞口４４がほとんど開放状態であるため、遊技者によって有利な状態とすることができる。所定ラウンドの大当たり処理が終了すると、通常の遊技に戻る。
【００５９】
一方、前記大当たりの抽選とは別に、始動口４６にパチンコ球が入賞すると、乱数カウンタを用いて、所定の確率下で小当たり抽選が開始される。この小当たり抽選の結果、当／外が決定すると、小当たり用に設定された図柄変動パターンに基づき、特別図柄表示装置４３に図柄変動パターン演出が実行される。
【００６０】
小当たり処理は、電動役物装置１００を用いて実行される。従って、この電動役物装置１００は、小当たりがないときは、一対の羽根部材１１２、１１４がそれぞれ閉止状態となっており、この電動役物装置１００に到達したパチンコ球は、羽根部材１１２、１１４の上面のガイド部１１２Ａ、１１４Ａに案内されて、中央へ集中し、貫通孔１１６、案内路１１８を通過して排出口１２０から再び遊技盤３２へ排出される。このため、電動役物装置１００の設置による不利益はない。
【００６１】
上記、抽選結果が小当たりとなり、小当たり図柄が揃うと、小当たり処理が開始される。
【００６２】
小当たり処理は、まず、図４に向かって左側の回転軸１１０を図４の反時計回り方向に略９０°回転させることで、羽根部材１１２を閉止位置から開放位置へ移動させ、１秒間保持する。１秒経過後は、回転軸１１０を図４の時計回り方向に略９０°回転させ、羽根部材１１２の開放位置から閉止位置へ移動させ、閉止状態を７秒維持した後、再度１秒間開放する。この１秒開放、７秒閉止を所定回数（例えば４回程度）繰り返す。このとき、図４に向かって右側の羽根部材１１４は閉止状態が維持される（図７参照）。
【００６３】
上記羽根部材１１２が１秒開放、７秒閉止を所定回数繰り返しているとき、パチンコ球が入賞口１０４に入賞すると、小当たり成立となり、図４に向かって右側の回転軸１１０を図４の時計時計回り方向に略９０°回転させることで、羽根部材１１４を閉止位置から開放位置へ移動させ、７秒間保持する。７秒経過後は、回転軸１１０を図４の時計回り方向に略９０°回転させ、羽根部材１１４の開放位置から閉止位置へ移動させ、閉止する。。
【００６４】
ここで、羽根部材１１２、１１４の開閉動作と、互いに相反する動作であり、一方が開放中のとき、他方が閉止されるため、結果としてほとんど何れか一方が開放していることになり、遊技者は電動役物装置１００を狙って発射することで、入賞の確率が高まり、多くの賞球を受けることができる。なお、図８に示される如く、両方が同時に開放する時期を設けてもよい。
【００６５】
この小当たり遊技中、一般的に入賞口１０４、１０６が横並びの場合、図４の左側の入賞口１０４へパチンコ球を入賞させるときと、図４の右側の入賞口１０６へパチンコ球を入賞させるときとで、発射強度を調整せざるを得ない。
【００６６】
しかし、本実施の形態では、入賞口１０４、１０６を閉止している羽根部材１１２（又は１１４）が開放している羽根部材１１４（又は１１２）に対応する入賞口１０６（又は１０４）へのガイド部１１２Ａ、１１４としての役目を持つため、遊技者は左右の何れの入賞口１０４、１０６が開放していようと、同一の球筋でパチンコ球を発射すればよい。
【００６７】
このため、遊技者の技量による優劣がつかず、不公平さを解消することができる。
【００６８】
以上説明したように本実施の形態では、遊技盤３２上に横並びで入賞口１０４、、１０６を設けた場合、一般的に同一の球筋で双方の入賞口１０４、１０６への入賞が難しいことを鑑み、それぞれの入賞口１０４、１０６に羽根部材１１２、１１４を設け、一方の羽根部材１１２（又は１１４）が閉止位置、他方の羽根部材１１４（又は１１２）が開放位置となった場合、当該一方の羽根部材１１２（又は１１４）のガイド部１１２Ａ（又は１１４Ａ）が開放中の他方の入賞口１０６（又は１０４）への案内路となる構成としたため、ほぼ同一の球筋で両方の入賞口１０４、１０６への入賞が可能となる。このため、遊技盤３２に重力方向（上下方向）に段差をつけて入賞口１０４、１０６を設ける必要がなくなり、限られたスペース（この実施の形態では、始動口４６と大入賞口４４との間）に横並びで入賞口１０４、１０６が設けられた電動役物装置１００を配置することができる。
【００６９】
なお、本実施の形態では、所謂１種のパチンコ機１０に電動役物装置１００を設置し、大当たり抽選遊技とは別に、小当たり抽選遊技を追加したが、乱数取得による抽選と絡める必要はなく、通常遊技状態で常に、開閉動作を繰り返すようにしてもよい。例えば、２種パチンコ機のセンター役物への入賞の可否を決める可動部材の開放回数を、一方の入賞口１０４（又は１０６）では１回、他方の入賞口１０６（又は１０４）では２回として、交互に羽根部材１１２、１１４を開閉させるようにしてもよい。
【００７０】
また、図９に示される如く、３種パチンコ機１０Ａの大入賞口の代わりに適用してもよい。
【００７１】
３種パチンコ機１０Ａでは、始動口４６Ａへの入賞を契機に抽選が開始され、センター役物４２Ａでの図柄変動パターン演出後、所定の当り図柄が揃うと、遊技盤３２Ａの右側に位置する電動チューリップ１２２が開放し、デジタル表示器１２４の動作を開始させる。このデジタル表示器１２４の数字が当り数字の場合、大入賞口としての本実施の形態で説明した電動役物装置１００の羽根部材１１２、１１４の開閉を制御する。この開閉動作は、前述の小当たり遊技の動作としてもよいし、最初から一方が１秒開放、６秒閉止の繰り返し、他方が６秒開放、１秒閉止の繰り返しとして開放時間の少ない方の賞球を多くするようにしてもよい。
【００７２】
【発明の効果】
以上説明した如く本発明では、遊技球が自重によって落下する遊技盤上において、重力方向に対して横並びに配置しても、それぞれがほぼ同一の球筋で遊技球を入賞させることができるという優れた効果を有する。
【図面の簡単な説明】
【図１】本実施の形態に係るパチンコ遊技機の正面図である。
【図２】本実施の形態に係る遊技盤の正面図である。
【図３】本実施の形態に係るパチンコ機の制御系の概略を示すブロック図である。
【図４】本実施の形態に係る電動役物装置の正面図である。
【図５】図４のＶ−Ｖ線断面図である。
【図６】図４の背面図である。
【図７】（Ａ）は羽根部材の一方が開放したときの電動役物装置の正面図、（Ｂ）は図７（Ａ）の背面図である。
【図８】羽根部材が両方共開放したときの電動役物装置の正面図である。
【図９】変形例に係る遊技機（３種）の遊技盤の正面図である。
【符号の説明】
１０　　パチンコ機（遊技機）
３２　　遊技盤
４４　　大入賞口
４６　　始動口
１００　　電動役物装置
１０２　　ベース
１０２Ａ　　中央部
１０４、１０６　　入賞口
１０８　　受け部
１０８Ａ　　仕切り壁
１１０　　回転軸
１１２、１１４　　羽根部材（入賞可否選択部）
１１２Ａ、１１４Ａ　　ガイド部（案内機能）
１１６　　貫通孔
１１８　　案内路
１２０　　排出口
【図１】
2004141220.tif 000003
【図２】
2004141220.tif 000004
【図３】
2004141220.tif 000005
【図４】
2004141220.tif 000006
【図５】
2004141220.tif 000007
【図６】
2004141220.tif 000008
【図７】
2004141220.tif 000009
【図８】
2004141220.tif 000010
【図９】
2004141220.tif 000011